(57)【要約】【課題】選択されている電気的状態及び機能の視覚的表示器を提供しながら、複数の異なる電気的状態及び機能の間を容易に変換する。【解決手段】電気外科用デバイスは、ａ）２つ以上の機能状態と、ｂ）少なくとも第１の位置と第２の位置との間を移動するセレクタアセンブリと、を備え、第１の位置にあるセレクタアセンブリは、２つ以上の機能状態のうち第１の機能状態を提供するように構成され、第２の位置において、２つ以上の機能状態のうち第２の機能状態を提供するように構成され、１つ以上の表示器は、第１の機能状態に対応する第１の色を伝え、第２の機能状態に対応する第２の色を伝える。【選択図】図１
2019155077.tif 000002
【特許請求の範囲】
【請求項１】
電気外科用デバイスであって、
ａ．２つ以上の機能状態と、
ｂ．少なくとも第１の位置と第２の位置との間を移動するセレクタアセンブリであって、
ｉ．１つ以上のシャトルと、
ｉｉ．１つ以上のボタンと、
ｉｉｉ．１つ以上のスイッチを備える１つ以上の回路基板と、
ｉｖ．１つ以上の表示器と、を含む、セレクタアセンブリと、を備え、
前記第１の位置にある前記セレクタアセンブリは、前記２つ以上の機能状態のうち第１の機能状態を提供するように構成され、前記第２の位置において、前記２つ以上の機能状態のうち第２の機能状態を提供するように構成され、
前記１つ以上の表示器は、前記第１の機能状態に対応する第１の色を伝え、前記第２の機能状態に対応する第２の色を伝える、電気外科用デバイス。
【請求項２】
前記１つ以上の表示器が、前記１つ以上の回路基板上に位置する、請求項１に記載の電気外科用デバイス。
【請求項３】
前記１つ以上のボタンが、透明である、請求項２に記載の電気外科用デバイス。
【請求項４】
前記１つ以上の回路基板が、前記電気外科用デバイスの本体上に位置し、前記１つ以上のボタンが、前記１つ以上のシャトル上に保持され、
前記１つ以上のシャトルが、前記第１の位置と前記第２の位置との間で前記１つ以上のボタンを前記１つ以上の回路基板に対して移動させ、結果として前記電気外科用デバイスが前記第１の機能状態と前記第２の機能状態との間で変更可能である、請求項３に記載の電気外科用デバイス。
【請求項５】
前記１つ以上のボタンが、前記電気外科用デバイスの本体上に位置し、前記１つ以上の回路基板が、前記１つ以上のシャトルと連通しており、
前記１つ以上のシャトルが、前記第１の位置と前記第２の位置との間で前記１つ以上の回路基板を前記１つ以上のボタンに対して移動させ、結果として前記電気外科用デバイスが前記第１の機能状態と前記第２の機能状態との間で変更可能である、請求項３に記載の電気外科用デバイス。
【請求項６】
前記第１の機能状態が単極電流であり、前記第２の機能状態が双極電流であり、
前記１つ以上のボタンは、前記セレクタアセンブリが前記第１の位置にあるとき、前記１つ以上の回路基板スイッチの第１のスイッチと位置合わせし、結果として前記１つ以上のボタンの作動時に、単極電流が印加され、また前記セレクタアセンブリが前記第２の位置にあるとき、前記１つ以上のボタンは、前記１つ以上の回路基板スイッチの第２のスイッチと位置合わせし、結果として前記１つ以上のボタンの作動時に、前記双極電流が印加される、請求項１に記載の電気外科用デバイス。
【請求項７】
前記セレクタアセンブリが、ラックアンドピニオンアセンブリを含み、前記ラックアンドピニオンアセンブリが、前記１つ以上のシャトル上の第１のラックギヤと前記１つ以上の回路基板上の第２のラックギヤとの間にピニオンギヤを含み、
前記１つ以上のシャトルが、前記ピニオンギヤを回転させることによって前記第１の位置と前記第２の位置との間を移動し、前記１つ以上のシャトルの反対方向に前記１つ以上の回路基板を移動させる、請求項１に記載の電気外科用デバイス。
【請求項８】
前記１つ以上のシャトルが、前記第１の位置と前記第２の位置との間で前記電気外科用デバイスの本体に沿って移動し、前記第１の機能状態と前記第２の機能状態との間で前記電気外科用デバイスを変換する、請求項１に記載の電気外科用デバイス。
【請求項９】
前記１つ以上の表示器が、有色回路基板スイッチである、請求項２に記載の電気外科用デバイス。
【請求項１０】
前記１つ以上の表示器が、発光素子である、請求項２に記載の電気外科用デバイス。
【請求項１１】
電気外科用デバイスであって、
ａ．２つ以上の機能状態と、
ｂ．少なくとも第１の位置と第２の位置との間を移動するシャトルであって、１つ以上の透明なボタンを含むシャトルと、
ｃ．１つ以上の表示器と、を備え、
前記シャトルは、前記１つ以上の透明なボタンを前記１つ以上の表示器のうちの１つと位置合わせするように移動させ、その結果前記１つ以上の表示器のうちの前記１つからの色は、前記１つ以上の透明なボタンを通じて可視であり、前記電気外科用デバイスが前記２つ以上の機能状態のうちの１つであることを知らせる、電気外科用デバイス。
【請求項１２】
前記１つ以上の表示器が、第１の有色表示器及び第２の有色表示器である、請求項１１に記載の電気外科用デバイス。
【請求項１３】
前記第１の位置にある前記シャトルが、前記１つ以上の透明なボタンのうちの１つを、前記第１の有色表示器と位置合わせし、結果として前記２つ以上の機能状態の第１の機能状態を示し、また前記第２の位置にある前記１つ以上の透明なボタンが、前記１つ以上の透明なボタンのうちの前記１つを、前記第２の有色表示器と位置合わせし、結果として前記２つ以上の機能状態の第２の機能状態を示す、請求項１２に記載の電気外科用デバイス。
【請求項１４】
前記１つ以上の表示器が、それぞれ色変換発光素子である、請求項１１に記載の電気外科用デバイス。
【請求項１５】
前記色変換発光素子が、第１の色を有し、かつ前記２つ以上の機能状態の第１の機能状態で前記１つ以上の透明なボタンと位置合わせされ、また前記色変換発光素子が、第２の色を有し、かつ前記２つ以上の機能状態の第２の機能状態で前記１つ以上の透明なボタンと位置合わせされる、請求項１４に記載の電気外科用デバイス。
【請求項１６】
前記電気外科用デバイスが、１つ以上のスイッチを備える１つ以上の回路基板を含む、請求項１５に記載の電気外科用デバイス。
【請求項１７】
前記シャトルが、前記１つ以上の透明なボタンを、前記２つ以上の機能状態の第１の機能状態を示す第１のスイッチと位置合わせするように移動させ、また前記シャトルが、前記１つ以上の透明なボタンを、前記２つ以上の機能状態の第２の機能状態を示す第２のスイッチと位置合わせするように移動させる、請求項１６に記載の電気外科用デバイス。
【請求項１８】
前記シャトルが、ラックアンドピニオンアセンブリを通じて前記１つ以上の回路基板と連通しており、前記ラックアンドピニオンアセンブリが、前記シャトル上の第１のラックギヤと前記１つ以上の回路基板上の第２のラックギヤとの間にピニオンギヤを含み、
前記シャトルが、前記ピニオンギヤを回転させることによって前記第１の位置と前記第２の位置との間を移動し、前記１つ以上のシャトルの反対方向に前記１つ以上の回路基板を移動させる、請求項１７に記載の電気外科用デバイス。
【請求項１９】
電気外科用デバイスであって、
ａ．２つ以上の機能状態と、
ｂ．少なくとも第１の位置と第２の位置との間を移動可能なシャトルであって、
ｉ．１つ以上の表示器と、
ｉｉ．１つ以上のスイッチを備える１つ以上の回路基板と、を含むシャトルと、
ｃ．１つ以上の透明なボタンと、を備え、
前記第１の位置にある前記シャトルは、前記１つ以上のスイッチのうちの第１のスイッチを前記１つ以上の透明なボタンと位置合わせし、その結果前記電気外科用デバイスは、前記２つ以上の機能状態のうちの第１の機能状態で構成され、前記１つ以上の表示器は、前記１つ以上の透明なボタンを通じて第１の色を伝達し、
前記第２の位置にある前記シャトルは、前記１つ以上のスイッチのうちの第２のスイッチを前記１つ以上の透明なボタンと位置合わせし、その結果前記電気外科用デバイスは、前記２つ以上の機能状態のうちの第２の機能状態で構成され、前記１つ以上の表示器は、前記１つ以上の透明なボタンを通じて第２の色を伝達し、
前記１つ以上の表示器は、前記第１の位置及び前記第２の位置で前記１つ以上の透明なボタンと位置合わせし、前記１つ以上の透明なボタンを通じて色をユーザーに伝達し、
前記第１の色は、前記電気外科用デバイスが前記第１の機能状態であることを示し、第２の色は、前記電気外科用デバイスが前記第２の機能状態であることを示す、電気外科用デバイス。
【請求項２０】
前記第１の機能状態の前記電気外科用デバイスは単極電流を提供し、前記第２の機能状態の前記電気外科用デバイスは双極電流を提供し、
前記１つ以上の透明なボタンは、第１の位置で前記１つ以上の回路基板スイッチの第１のスイッチと位置合わせし、作動時に、前記１つ以上の透明なボタンは、前記単極電流を作動させ、前記第２の位置で、前記１つ以上の透明なボタンは、前記１つ以上の回路基板スイッチの第２のスイッチと位置合わせし、作動時に、前記１つ以上の透明なボタンは、前記双極電流を作動させる、請求項１９に記載の電気外科用デバイス。
【発明の詳細な説明】
【技術分野】
【０００１】
本教示は、一般に、デバイスに関し、より具体的には、２つ以上の機能状態が有効化されるように、２つ以上の位置の間で再配置可能な回路基板スイッチ及び／又はボタン並びに２つ以上の機能状態のそれぞれを特定する１つ以上の表示器を含む電気外科用デバイスに関する。
【背景技術】
【０００２】
典型的には、外科用デバイスは１つの機能素子を有し、したがって、異なる機能が所望される場合、外科医は処置中に、異なる機能を有するデバイスにデバイスを切り替えることになる。しかし、いくつかのデバイスは、第２の機能素子を含み、各機能素子は各個別のボタンを作動させることによって起動される。例えば、外科医が２つのボタンを有するデバイスを選択した場合、１つ目のボタンが単極切断を起動し、２つ目のボタンが双極凝固を起動する。手術中、デバイスは、デバイスが提供しようとしている機能をユーザーが特定するのを補助する異なる有色ボタンを有する（例えば、黄色ボタンは切断であり、青色ボタンは凝固である）。したがって、デバイスが多機能を提供する場合は、そのデバイスは各機能に対するボタンを有する。デバイスが２つ以上の機能を備える１つ以上のボタンを有するとき、外科医が１つ以上のボタンの作動時にどの治療電流（例えば、切断又は凝固）が提供されるかを区別できない場合があり、このことは、誤った機能を選択することにつながり得る。
【０００３】
いくつかの電気外科用器具の例が、米国特許第６，１１０，１７１号同第６，１１３，５９６号、同第６，１９０，３８６号、同第６，３５８，２６８号、同第７，２３２，４４０号、及び同第９，７４８，０５７号、並びに米国特許出願公開第２００５／０１１３８２７号、同第２００５／０１８７５１２号、同第２００６／００８４９７３号、同第２０１２／０１２３４０５号、同第２０１４／０２７６７９５号、及び同第２０１４／０２７６７９９号に認められ得、これらはすべて、あらゆる目的で参照により本明細書に組み込まれている。必要とされるものは、選択されている電気的状態及び機能の視覚的表示器を提供しながら、複数の異なる電気的状態及び機能の間を容易に変換するデバイスである。単一ボタンで２つ以上の状態間を切り替えることができ、この単一ボタンは、２つ以上の状態のうちどれが選択されたかを示す視覚的表示器を含むデバイスを有することは魅力的である。外科医に視覚的キューを表示しながら、デバイスの回路が物理的に位置を変更し、デバイスをボタンに対して電気的に再構成するように、状態を機械的に再構成するデバイスを有することは魅力的である。必要とされるものは、１つ以上のボタンを通じて信号を提供する視覚的表示器を含むデバイスであり、この視覚的表示器は、１つ以上のボタンの作動時に提供されるであろう電気的状態を特定する。
【発明の概要】
【０００４】
１つ以上の起動ボタンを作動させる前にデバイスがどの機能を行うかをユーザーに知らせるように、１つ以上の視覚的表示器を提供し、各視覚的表示器が特定の機能に対応するデバイスを有することは魅力的である。
【０００５】
本教示は、電気外科用デバイスであって、ａ）２つ以上の機能状態と、ｂ）少なくとも第１の位置と第２の位置との間を移動するセレクタアセンブリであって、ｉ）１つ以上のシャトルと、ｉｉ）１つ以上のボタンと、ｉｉｉ）１つ以上のスイッチを備える１つ以上の回路基板と、ｉｖ）１つ以上の表示器と、を含むセレクタアセンブリと、を備え、第１の位置にあるセレクタアセンブリは、２つ以上の機能状態のうち第１の機能状態を提供するように構成され、第２の位置において、２つ以上の機能状態のうち第２の機能状態を提供するように構成され、１つ以上の表示器は、第１の機能状態に対応する第１の色を伝え、第２の機能状態に対応する第２の色を伝える、電気外科用デバイスを提供することによって本ニーズのうちの１つ以上を満たす。
【０００６】
本教示は、電気外科用デバイスであって、ａ）２つ以上の機能状態と、ｂ）少なくとも第１の位置と第２の位置との間を移動するシャトルであって、１つ以上の透明なボタンを含むシャトルと、ｃ）１つ以上の表示器と、を備え、シャトルは、１つ以上の透明なボタンを１つ以上の表示器のうちの１つと位置合わせするように移動させ、その結果１つ以上の表示器のうちの１つからの色は、１つ以上の透明なボタンを通じて可視であり、電気外科用デバイスが２つ以上の機能状態のうちの１つであることを知らせる、電気外科用デバイスを含む。
【０００７】
本明細書における教示は、電気外科用デバイスであって、ａ）２つ以上の機能状態と、ｂ）少なくとも第１の位置と第２の位置との間を移動可能であるシャトルであって、ｉ）１つ以上の表示器と、ｉｉ）１つ以上のスイッチを備える１つ以上の回路基板と、を含むシャトルと、ｃ）１つ以上の透明なボタンと、を備え、第１の位置にあるシャトルは、１つ以上のスイッチのうちの第１のスイッチを１つ以上の透明なボタンと位置合わせし、その結果電気外科用デバイスは、２つ以上の機能状態のうちの第１の機能状態で構成され、１つ以上の表示器は、１つ以上の透明なボタンを通じて第１の色を伝達し、第２の位置にあるシャトルは、１つ以上のスイッチのうちの第２のスイッチを１つ以上の透明なボタンと位置合わせし、その結果電気外科用デバイスは、２つ以上の機能状態のうちの第２の機能状態で構成され、１つ以上の表示器は、１つ以上の透明なボタンを通じて第２の色を伝達し、１つ以上の表示器は、第１の位置及び第２の位置にある１つ以上の透明なボタンと位置合わせし、１つ以上の透明なボタンを通じて色をユーザーに伝達し、第１の色は、電気外科用デバイスが第１の機能状態であることを示し、第２の色は、電気外科用デバイスが第２の機能状態であることを示す、電気外科用デバイスを提供する。
【０００８】
本明細書における教示は、機能状態ごとに少なくとも１つの機能を実行する機能状態の間で再構成可能である外科用デバイス、及びデバイスからユーザーへ表示される、どの機能が選択されているかを示す視覚的キューを提供する。本教示は、単一ボタンで２つ以上の状態間を切り替えることができ、この単一ボタンは、２つ以上の状態のうちどれが選択されたかを示す視覚的表示器を含む。本教示は、外科医に視覚的キューを表示しながら、デバイスの回路が物理的に位置を変更し、デバイスをボタンに対して電気的に再構成するように、状態を機械的に再構成するデバイスを提供する。本教示は、１つ以上のボタンを通じて信号を提供する視覚的表示器を含むデバイスを提供し、この視覚的表示器は、１つ以上のボタンの作動時に提供されるであろう電気的状態を特定する。
【図面の簡単な説明】
【０００９】
【図１】第１の状態の外科用デバイスの斜視図である。
【図２】第２の状態の外科用デバイスの斜視図である。
【図３】第１の状態の外科用デバイスの斜視図である。
【図４】第２の状態の外科用デバイスの斜視図である。
【図５】回路基板が起動ボタンに対して移動可能である、第１の位置におけるセレクタアセンブリの斜視図である。
【図６】回路基板が起動ボタンに対して移動可能である、第２の位置におけるセレクタアセンブリの斜視図である。
【図７】起動ボタンが回路基板に対して移動可能である、第１の位置におけるセレクタアセンブリの斜視図である。
【図８】起動ボタンが回路基板に対して移動可能である、第２の位置におけるセレクタアセンブリの斜視図である。
【図９Ａ】第１の位置における、キーボードとしてのデバイスの斜視図である。
【図９Ｂ】第２の位置における、キーボードとしてのデバイスの斜視図である。
【図１０Ａ】第１の位置における、板バネ機構を有するセレクタアセンブリの斜視図である。
【図１０Ｂ】第２の位置における、板バネ機構を有するセレクタアセンブリの斜視図である。
【図１１】短いスローレバーアセンブリを有するセレクタアセンブリの斜視図である。
【図１２】ラックアンドピニオンアセンブリを有するセレクタアセンブリの斜視図である。
【図１３Ａ】起動ボタンが回路基板に対して移動可能であり、表示器を含む、第１の位置におけるセレクタアセンブリの斜視図である。
【図１３Ｂ】起動ボタンが回路基板に対して移動可能であり、表示器を含む、第２の位置におけるセレクタアセンブリの斜視図である。
【図１４Ａ】本体に対して第１の位置にある回路基板の斜視図である。
【図１４Ｂ】本体に対して第２の位置にある回路基板の斜視図である。
【発明を実施するための形態】
【００１０】
本明細書に提示する説明及び例示は、本教示、その原理、及びその実用的用途を当業者に知らせることを意図したものである。当業者であれば、特定の使用の要件に最も適し得るように、本教示をその多数の形態で適合させて適用することができる。したがって、記述される本教示の特定の実施形態は、本教示を網羅しているか又は限定しているものとして意図されているものではない。したがって、本教示の範囲は、上述の説明を参照して決定されるべきではなく、その代わりに、添付の特許請求の範囲を、このような特許請求の範囲が権利を与えられる等価物の全範囲と共に参照して決定されるべきである。特許出願及び特許出願公開を含むすべての論文及び参考文献の開示は、あらゆる目的で参照により組み込まれている。以下の特許請求の範囲から見つけられるような他の組み合わせも可能であり、それらもまた参照により本明細書に組み込まれる。
【００１１】
本教示は、２つ以上の状態間で変更可能であり得るデバイスに関する。外科用デバイスは、機械デバイス、電気機械デバイス（例えば、機械的に移動する素子及び電気素子を有するデバイス）、電気外科用デバイス、又はこれらの組み合わせであってもよい。デバイスは、信号を生成するか、電力を供給するか、又はこれらの両方を行うように機能する任意のデバイスであってもよい。デバイスは第１の状態における第１のセットの信号及び第２の状態における第２のセットの信号を送信してもよい。デバイスは、１つ以上のボタン又は１つ以上のキーを含んでもよい。１つ以上のボタン又は１つ以上のキーは、キー又はボタンの位置若しくは状態に応じて、２つ以上の信号を提供してもよい（本明細書で論じるようなボタン及びキーは交換可能に使用される）。キー、ボタン、又はこれらの両方、及び回路基板は、デバイスが異なる機能を提供するように、異なる信号を生成するために相互に対して移動可能であってもよい。回路基板、キー、ボタン、又はそれらの組み合わせは、１つ以上の表示器を含んでもよい。１つ以上の表示器は、ユーザーにデバイスがどの状態にあるかを示す視覚的キューを提供するように機能してもよい。１つ以上のボタン、１つ以上のキー、又は両方は、キーボード、電話、コンピュータ、外科用デバイス、又はそれらの組み合わせ上に存在してもよい。本教示は、外科用デバイスのボタンに関してもよい。本教示は、電子式、超音波式、若しくは電動式外科用システム、又はこれらの組み合わせを形成する外科用デバイス及び関連する構成部品に関してもよい。本教示は、１つ以上の視覚的表示器を備えるコンバーチブル外科用デバイスに関連し得る。
【００１２】
外科用デバイスは、外科用システムの一部とすることができる。外科用システムは、本明細書で教示するデバイスの１つ以上を含む任意のシステムであってもよい。外科用システムは、少なくとも１つの機能状態（例えば、構成）を有する少なくとも外科用デバイスを含んでもよい。機能状態は、別の部分に対して移動するデバイスの任意の部分の相対的な配置又は配設とすることができる。例えば、セレクタアセンブリは、ボタンを回路基板に対して又はその逆に移動させてもよく、結果としてデバイスは第１の機能状態（又は第１の構成）と第２の機能状態（又は第２の構成）との間で変更する。外科用システムは、本明細書で教示するような１つ以上の本体、１つ以上の接地パッド、１つ以上の発電機、１つ以上の電気外科用デバイス、１つ以上の超音波デバイス、１つ以上の電動デバイス、１つ以上の隣接する本体構成要素、又はこれらの組み合わせ、及び外科用システムに組み込まれる各デバイスの本明細書における教示を含み得る。外科用デバイスは、外科医が外科処置を行うのに使用され得る任意のデバイスであってもよい。外科用デバイスは、２つ以上の構成、２つ以上の状態、又はこれらの両方の間で切り替えられるように機能することができる。例えば、外科用デバイスは、電気的状態、超音波状態、電動状態、非動力状態、又はこれらの組み合わせの間で切り替えられてもよい。外科用デバイスは、もう片方の手を必要とせず、処置を中断することなく、又はこれらの両方でユーザーが状態間で切り替えられるように、片手で２つ以上の状態の間で切り替えられてもよい任意のデバイスであってもよい。外科用デバイスは、両手で使用されるか、状態間で両手で切り替えられるか、又はこれらの両方であってもよい、任意のデバイス及び／又は状態であってもよい。外科用デバイスは、切断、止血、凝固、乾燥、高周波治療、電気焼灼、又はこれらの組み合わせを行うのに使用されてもよい。外科用デバイスは、１つ以上の機能を行うことができる。好ましくは、外科用デバイスは、複数の機能を行う。例えば、外科用デバイスは、第１の機能、第２の機能、第３の機能、第４の機能、又はより多くの機能を行うことができる。外科用デバイスは、双極機能、単極機能、非電気外科機能、超音波機能、電動機能（例えば、切断、研磨、挽き、穿孔、若しくはこれらの組合せのための動力による移動）、又はこれらの組み合わせを含む任意のデバイスであってもよい。外科用デバイスは、１つ以上の表示器を通じて各機能に対応する信号を表示してもよい。例えば、１つ以上の表示器は、単極治療電流を知らせる第１のキュー及び双極治療電流を知らせる第２のキューを表示することができる。外科用デバイスは、開放手術で使用することができる。外科用デバイスは、非動力外科目的に使用することができる。例えば、外科用デバイスは、対象、器官、静脈、皮膚、組織など、又はこれらの組み合わせを把持するのに使用されてもよい、鉗子、ピンセット、又はこれらの両方として使用されてもよい。別の例において、デバイスの１つ以上の部分は、メスと同様に、薄刃を含んでもよく、切断に使用することができる。外科用デバイスは、ハンドピースと発電機とを含んでもよい。外科用デバイスは、ハンドピースと発電機との間に延在する１つ以上の治療信号を有してもよい。ハンドピースは、本体であってもよい。
【００１３】
外科用デバイスは、本体を有してもよい。本体は、機能素子をユーザインターフェースに接続するように機能することができる。本体は電力、信号、又はこれらの両方を機能素子に提供してもよい。本体及び１つ以上の機能要素は、１つの一体部品とすることができ、又は機能要素は、本体に着脱可能とすることができる。本体は、電源を含むことができ、又は電源に接続することができる。デバイスの本体は、デバイスを機能させるために使用される構成要素を収容することができる。デバイスの本体は、ハンドピースであってもよい。デバイスの本体は、鉗子とすることができる。デバイスの本体は、フレームであってもよい。デバイスの本体は、作業アーム、１つ以上の機能要素、又は両方に接続することができる。デバイスの本体は、１つ以上の起動ボタン、１つ以上の回路基板、シャトル、１つ以上の機能素子、セレクタアセンブリ、１つ以上の表示器、若しくはこれらの組み合わせを含むか、又はこれらに接続されてもよい。
【００１４】
外科用デバイスは、セレクタアセンブリを含んでもよい。セレクタアセンブリは、複数の機能状態の間でデバイスを変更するように機能してもよい。セレクタアセンブリは、１つ以上の起動ボタン、１つ以上の回路基板、又はこれらの両方を移動させることによって、１つ以上の起動ボタンの機能状態を変更してもよい。セレクタアセンブリは、１つ以上の起動ボタンのそれぞれが２つ以上の機能を提供するように、２つ以上の位置の間で変更可能であってもよい。例えば、外科用デバイスは、デバイス上に存在する起動ボタン（例えば、１つのボタンが２つ以上、３つ以上、４つ以上、又は更には５つ以上の機能を起動してもよい）より多くの機能を行うか又は提供してもよい。セレクタアセンブリは、外科用デバイスに沿って長手方向に移動させることができ（例えば、デバイスの長手方向軸の方向に沿って移動させることができ）、外科用デバイスの構成要素の周りで回転式に移動してもよい（例えば、セレクタアセンブリは、長手方向軸に対して実質的に垂直な方向において外科用デバイスの輪郭をたどってもよい）か、セレクタアセンブリは、横方向に（例えば、デバイスの輪郭をたどらずに左右に）移動してもよいか、又はこれらの組み合わせを行うことができる。本明細書で論じるような長手方向軸は、最も長い長さを有する寸法である。セレクタアセンブリは、１つ以上の位置送信機を含んでもよい。セレクタアセンブリは、発電機、１つ以上の回路基板、１つ以上の表示器、又はこれらの組み合わせに、外科用デバイスがどの位置にあるかを伝えることができる。セレクタアセンブリは、セレクタアセンブリの位置に応じて１つ以上の表示器を起動し、停止することができる。例えば、セレクタアセンブリは、１つ以上の位置送信機を作動させて位置信号を外科用デバイスの１つ以上の回路基板に接続された発電機に送信してもよく、発電機は次に位置信号を１つ以上の表示器に送信して表示器をオン又はオフにする。別の例では、セレクタアセンブリは、１つ以上の位置送信機から発電機へ位置信号を送信してもよく、発電機は、次に１つ以上の表示器の視覚出力が第１の位置にある第１の視覚的キューから第２の位置にある第２の視覚的キューに変化するように位置情報を１つ以上の表示器に送信する。セレクタアセンブリは、１つ以上のチャネルに沿って、又はその中を移動してもよい。セレクタアセンブリは、摺動動作、板バネ機構、短いスローレバーアセンブリ、ラックアンドピニオンアセンブリ、又はこれらの組み合わせによって移動可能であってもよい。セレクタアセンブリは、外科用デバイスの表面上に位置する部分と、外科用デバイス内に延在する部分とを含んでもよい。セレクタアセンブリは、位置変更ボタンを介して位置を変更してもよい。位置変更ボタンは、押し下げられると、セレクタアセンブリが位置間で移動することを可能にし得る、機構又はアセンブリと連通していてもよい。セレクタアセンブリは、本体上にあるか、本体に取り外し可能に取り付けられるか、本体に沿って移動可能であるか、又はこれらの組み合わせであってもよい。セレクタアセンブリは、１つ以上のシャトル、１つ以上の起動ボタン、１つ以上の回路基板、位置変更ボタン、板バネ機構、短いスローレバーアセンブリ、ラックアンドピニオンアセンブリ、又はこれらの組み合わせを含んでもよい。
【００１５】
セレクタアセンブリは、１つ以上の位置送信機を含んでもよい。１つ以上の位置送信機は、発電機、１つ以上の回路基板、１つ以上の表示器、又はこれらの組み合わせに、外科用デバイスの位置を伝えるように機能することができる。１つ以上の位置送信機は、１つ以上のディスクリートスイッチであってもよい。１つ以上の位置送信機は、１つ以上のエンコーダであってもよい。１つ以上の位置送信機は、ディスクリートスイッチ及びエンコーダの組み合わせであってもよい。１つ以上の送信機は、機械的、光学的、磁気的、容量性、又はこれらの組み合わせとしてもよい。１つ以上の位置送信機は、セレクタアセンブリ、本体、１つ以上の回路基板、１つ以上の表示器の上に、又はこれらの組み合わせで位置してもよい。例えば、１つ以上の位置送信機は、固定の回路基板上に位置し、その結果、セレクタアセンブリが第１の位置から第２の位置に移動するとき、１つ以上の位置送信機が作動し、発電機、回路、１つ以上の表示器、又はこれらの組み合わせに位置情報を中継する。別の例では、１つ以上の位置送信機は、移動可能な回路基板上に位置してもよく、その結果、セレクタアセンブリが第１の位置から第２の位置に移動するとき、移動可能な回路基板もまた、第１の位置から第２の位置に移動し、第２の位置に関連する１つ以上の位置送信機を作動させ、発電機、回路、１つ以上の表示器、又はこれらの組み合わせに位置情報を中継する。更なる例では、１つ以上の位置送信機は、回路基板上に位置する第１の位置送信機及び第２の位置送信機であり、その結果、第１の位置において、シャトルは、第１の位置送信機を作動させるが、第２の位置送信機は作動せず、また第２の位置送信機を第２の位置で作動させるが、第１の位置送信機は作動しない。シャトルによる作動時に１つ以上の位置送信機は、発電機、回路、１つ以上の表示器、又はこれらの組み合わせに位置情報を中継する。
【００１６】
セレクタアセンブリは、１つ以上の移動可能なシャトルを含んでもよい。１つ以上のシャトルは、１つ以上の起動ボタン、１つ以上の回路基板、１つ以上のエンコーダ、１つ以上のディスクリートスイッチ、又はこれらの組み合わせを保持するように機能することができる。１つ以上のシャトルは、機能状態間の外科用デバイスの変換を補助するように機能することができる。シャトルは、外科用デバイスの本体に対して移動可能であってもよい。シャトルは、デバイスを複数の機能状態（例えば、電気的状態）間で移動させてもよい。例えば、デバイスは、第１の状態から第２の状態に移動させられてもよい。デバイスは、第１の状態、第２の状態、第３の状態、第４の状態、又はそれ以上の状態の間で移動させられてもよい。シャトルは、デバイスの線又は軸に沿って、デバイスの表面に沿って移動させること、デバイス上のレバーとして枢動するか、デバイス上のノブとして回転するか、又はこれらの組み合わせを行うことができる。シャトルは、シャトルをデバイスに沿って移動させると、位置（例えば、第１、第２、第３、又は第４の位置）の間で移動させることができる。シャトルは、外科用デバイスに沿って長手方向に移動させることができ（例えば、デバイスの長手方向軸の方向に移動させることができ）、外科用デバイスの構成要素の周りを回転方向に移動させることができ（例えば、長手方向軸に対して実質的に垂直な方向に、外科用デバイスの輪郭をたどることができ）、シャトルは、横方向に（例えば、デバイスの輪郭をたどらずに左右に）移動してもよいか、又はこれらの組み合わせを行うことができる。シャトルは、外科用デバイスの長手方向軸に沿って移動させることができる。シャトルは、長手方向軸に対して実質的に垂直な方向に（すなわち、横方向に）移動させることができる。シャトルは、長手方向軸に対して実質的に平行である回転軸の周りを回転方向に移動させる（すなわち、回転させる）ことができる。シャトルは、１つ以上の位置送信機を保持することができ、位置送信機は、外科用デバイスの位置を判定し、発電機、１つ以上の回路基板、１つ以上の表示器、又はこれらの組み合わせにその情報を中継する。シャトルは、１つ以上の位置送信機を作動させ、発電機、１つ以上の回路基板、１つ以上の表示器、又はこれらの組み合わせに外科用デバイスの位置を伝えることができる。シャトルは、シャトルを移動させるのを補助する、板バネ機構、短いスローレバーアセンブリ、又はラックアンドピニオンアセンブリのうちの１つ以上を含んでもよい。シャトルは、１つ以上の起動ボタン、１つ以上の回路基板、１つ以上の表示器、又はこれらの組み合わせと連通してもよい。例えば、シャトルは、１つ以上の起動ボタンと連通し、これを外科用デバイスの１つ以上の回路基板及び本体に対して移動させてもよい。別の例では、シャトルは、１つ以上の回路基板と連通し、これを外科用デバイスの１つ以上の起動ボタン及び本体に対して移動させてもよい。更なる例では、シャトルは、１つ以上の回路基板及び１つ以上の起動ボタンの両方と連通してもよく、その結果、１つ以上の起動ボタン及び１つ以上の回路基板は、互いに対して移動する。シャトルは、２つ以上の位置（例えば、少なくとも第１の位置と、第２の位置と）を有することができる。シャトルは、複数の位置を有することができる。シャトルは、第１の位置、第２の位置、第３の位置、第４の位置、又はそれ以上を有してもよい。シャトルは、本明細書で論じられる位置の１つ以上において、機能状態のうちの１つ以上を無効にすることができる。シャトルは、第１の位置において、第２の電気的状態を無効にすることができ、第２の位置では、第１の電気的状態及び／又は第３の電気的状態を無効にすることができる。例えば、シャトルは、第２の位置において、第１の電気的状態を無効にするように位置付けられてもよい。シャトルは、シャトルの位置決めに基づいて、外科用デバイスを機能状態間で変換することを補助してもよい。例えば、シャトルは、外科用デバイスを第１の位置に第１の状態で配置してもよく、シャトルが第２の位置に移動するとき、外科用デバイスを第２の状態で配置する。シャトルは、第１の位置において、１つ以上の起動ボタンを１つ以上の回路基板スイッチ、第２の回路基板上の１つ以上の回路基板スイッチ、又はその両方と位置合わせしてもよい。シャトルは、第１の位置において、１つ以上の起動ボタンを第１の回路基板スイッチに位置合わせせず、起動ボタンを第２の回路基板スイッチに位置合わせし、その逆も又同様であってもよい。位置合わせは、ボタンがスイッチと接触するように移動できるときであり得る。より具体的には、位置合わせは、ボタンの移動時にスイッチが起動されるように、ボタンが線形かつスイッチに対して実質的に垂直に移動できるときであり得る。位置合わせのずれは、ボタンが作用されるとき、スイッチに接触せず、スイッチを起動しない場合であり得る。シャトルは、第２の位置において、１つ以上の起動ボタンを１つ以上の回路基板スイッチ、１つ以上の第２の回路基板スイッチ、又はこれらの両方と位置合わせしてもよい。１つ以上の起動ボタンが、１つ以上の回路基板上の１つ以上の回路基板スイッチと位置合わせするか又は位置合わせしないように、シャトルは、２つ以上の位置に配置されてもよい。
【００１７】
セレクタアセンブリは、位置変更ボタンを含んでもよい。位置変更ボタンは、デバイスを２つ以上の位置間で変換するように機能してもよい。位置変更ボタンは、デバイスを位置間（例えば、第１の位置から第２の位置）で変換する機構又はアセンブリと連通してもよい。位置変更ボタンは、作動するときに機構又はアセンブリと係合して、機械的ポテンシャルエネルギーを方向運動に変換することによって、シャトル、回路基板、起動ボタン、又はこれらの組み合わせを移動させることによって、セレクタアセンブリをある位置から別の位置に移動させてもよい。位置変更ボタンは、デバイスの外部に位置してもよい。位置変更ボタンは、アクチュエータを含んでもよい。位置変更ボタンは、板バネ機構、短いスローレバーアセンブリ、ラックアンドピニオンアセンブリ、又はこれらの組み合わせに作用してもよい。
【００１８】
セレクタアセンブリは、板バネ機構を含んでもよい。板バネ機構は、デバイスを機能状態（例えば、第１の状態と第２の状態）の間で変換してもよい。板バネ機構は、位置変更ボタン、トラック付きアクチュエータブロック、プランジャ、板バネ又はこれらの組み合わせを含んでもよい。アクチュエータブロックは、回路基板、シャトル、１つ以上の起動ボタン、又はこれらの組み合わせに取り付けてもよい。アクチュエータブロックは、トラックを有してもよい。アクチュエータブロックのトラックは、ハンドピースの内部、外部、又はこれらの両方にあってもよい。アクチュエータブロックのトラックは、少なくとも１つの位置を有していてもよい。位置変更ボタンは、板バネ機構を位置間で変換するために使用されてもよい。位置変更ボタンは、プランジャを含んでもよい。プランジャは、アクチュエータブロックのトラックに嵌合してもよい。例えば、位置変更ボタンが作用されると、位置変更ボタンのプランジャは、アクチュエータブロックの２つ以上の位置の間を移動してもよい。位置変更ボタンのプランジャが移動すると、アクチュエータブロックは、板バネがシャトルに接続されたアクチュエータブロック、起動ボタン、回路基板、又はこれらの組み合わせを押すことができるように位置を変更してもよい。板バネの伸張力は、デバイスを別の位置に移動させる方向運動に変換されてもよい。アクチュエータブロックがある位置から別の位置に移動させられたとき、回路基板、シャトル、１つ以上の起動ボタン、又はこれらの組み合わせは、板バネに貯蔵された電位エネルギーを方向運動に変換することによって、相互に対して移動させられてもよい。
【００１９】
セレクタアセンブリは、短いスローレバーアセンブリを含んでもよい。短いスローレバーアセンブリは、デバイスを複数の状態（例えば、第１の状態及び第２の状態）の間で変換するために使用されてもよい。短いスローレバーアセンブリは、作動するとき、セレクタアセンブリの位置をある位置から別の位置に変更してもよい。短いスローレバーアセンブリは、レバー、固定枢動点、１つ以上の移動枢動点、又はこれらの組み合わせを含んでもよい。レバーは、１つ以上の移動枢動点のうちの１つにおいて、シャトル、回路基板、起動ボタン、又はこれらの組み合わせに取り付けてもよい。レバーは、固定点の周りで枢動してもよい。レバーは、レバーに力を加えると、回路基板、シャトル、起動ボタン、又はこれらの組み合わせを押すか又は引く固定点の周りで枢動してもよい。短いスローレバーアセンブリは、起動ボタン及び回路基板を、位置合わせするか又は位置合わせしないように移動してもよい。短いスローレバーアセンブリは、回路基板、シャトル、１つ以上の起動ボタン、又はこれらの組み合わせを相互に対して移動することによって、セレクタアセンブリを移動し、デバイスをある状態から別の状態に変換してもよい。
【００２０】
セレクタアセンブリは、ラックアンドピニオンアセンブリを含んでもよい。ラックアンドピニオンアセンブリは、デバイスを第１の状態と第２の状態との間で変換するために使用されてもよい。ラックアンドピニオンアセンブリは、セレクタアセンブリの位置をある位置から別の位置に変更することを補助してもよい。ラックアンドピニオンアセンブリは、ピニオンギヤと１つ以上のラックギヤとを含んでもよい。ラックアンドピニオンアセンブリは、起動ボタン、シャトル、回路基板、又はこれらの組み合わせに接続された１つ以上のラックギヤと連通してピニオンギヤを回転させることによって、セレクタアセンブリを移動させてもよい。ピニオンギヤの歯は、アセンブリが回転されたとき、回路基板、起動ボタン、シャトル、又はこれらの組み合わせに接続され得るラックの歯と絡み合ってもよく、回路基板及び起動ボタンを相互に位置合わせするか又は位置合わせしないように移動させる。
【００２１】
外科用デバイスは、１つ以上の起動ボタンを含んでもよい。１つ以上の起動ボタンは、機能素子を起動又は停止するように機能してもよい。１つ以上の起動ボタンは、１つ以上の表示器からユーザーに視覚的キューを伝えるように機能することができる。１つ以上の起動ボタンは、１つ以上の回路基板スイッチを作動させ、１つ以上の回路基板スイッチと位置合わせし、１つ以上の表示器又はこれらの組み合わせと位置合わせしてもよい。１つ以上の起動ボタンは、複数の起動ボタンであってもよい。１つ以上の起動ボタンは、第１の起動ボタン、第２の起動ボタン、第３の起動ボタン、第４の起動ボタン、又は更には複数の起動ボタンであってもよい。例えば、各作動ボタンは、外科用デバイスによって複数の機能が提供され得るように、１つ以上の回路基板スイッチを作動させてもよい。１つ以上の起動ボタンは、回路基板スイッチ（例えば、ドーム又は膜）に接触して（例えば、直接接触又は間接接触によって）、機能素子のうちの１つ以上を始動してもよい。１つ以上の起動ボタンは、実質的に直線的に（例えば、スイッチに垂直に）移動してもよい。１つ以上の起動ボタンの各々は、異なる機能を提供し、異なる機能素子を制御し、同じ機能素子を介して複数の機能を提供し、又はこれらの組み合わせを提供してもよい。１つ以上の起動ボタンは、各位置及び／又は機能状態において異なる機能を提供してもよい。例えば、１つの起動ボタンは、第１の回路基板スイッチと位置合わせして第１の位置における作動時に第１の機能を有効化し、第２の回路基板スイッチと位置合わせして第２の位置における作動時に第２の機能を有効化してもよい。１つ以上の起動ボタンは、外科用デバイスの本体、シャトル、又はこれらの両方に位置してもよい。起動ボタンは、押し下げられると、回路基板スイッチを作動させ、結果として、外科用デバイスの１つ以上の機能素子が起動される。回路基板スイッチは、起動ボタンが押し下げられたときに作動してもよく、これによって、回路を完成させ、１つ以上の機能素子に電力を供給する。外科用デバイスには１つ以上の起動ボタンが存在してもよい。例えば、複数の起動ボタンが存在する。起動ボタンのうちの１つ以上は、複数の位置を有してもよい。例えば、１つ以上の起動ボタンの各々は、第１の位置と第２の位置との間で移動させられてもよい。１つ以上の起動ボタンは、１つ以上の表示器を保持してもよい。１つ以上の起動ボタンは、透明、半透明、不透明、透明な窓を有する不透明、半透明の窓を有する不透明、又はこれらの組み合わせであってもよい。１つ以上のボタンは、不透明であっても、また透明又は半透明の窓の近傍に位置してもよく、１つ以上の起動ボタンのそれぞれの機能性を示す視覚的信号は、窓を通して示されてもよい。１つ以上の起動ボタンは、１つ以上の表示器と位置合わせしてもよい。１つ以上の起動ボタンは、１つ以上、２つ以上、３つ以上、４つ以上、又は複数の表示器と位置合わせしてもよい。１つ以上の起動ボタンは、１つ以上の表示器をユーザーが見えるようにしてもよい。例えば、１つ以上の起動ボタンは、透明であり、かつ１つ以上の表示器と位置合わせしてもよく、１つ以上の表示器は、ユーザーが見えるように１つ以上の透明な起動ボタンを通じて視覚的キューを伝達する。表示器と位置合わせされると、１つ以上の起動ボタンは、視覚的キューが伝達されるように表示器を起動することができる。１つ以上の起動ボタンは、デバイスの長手方向軸に沿って長手方向に移動可能であり、デバイスの２次元（例えば、長手方向軸にほぼ垂直な方向）に沿って横方向に移動可能であり、回転軸の周りで回転可能に移動可能であり、又はこれらの組み合わせで移動可能であってもよい。好ましくは、１つ以上の起動ボタンは、長手方向軸の周りで移動することになる。１つ以上の起動ボタンは、固定されていてもよい。１つ以上の起動ボタンは、本体、シャトル、回路基板、又はこれらの組み合わせに対して固定されていてもよい。１つ以上の起動ボタンは、剛性素子、非導電性素子、又はこれらの両方であってもよい。１つ以上の起動ボタンは、本体内のガイドによる運動から拘束されてもよい。回路基板又は回路基板スイッチ（すなわち、電気外科用スイッチ）と位置合わせされたときの１つ以上の起動ボタンは、押し下げられると、回路基板又は回路基板スイッチと接触し得、１つ以上の機能素子を起動する。
【００２２】
外科用デバイスは、回路基板を含んでもよい。回路基板は、１つ以上の機能素子を起動又は停止にするように機能する。回路基板は、１つ以上のユーザー入力を受け取り、１つ以上の位置信号を受け取り、外科用デバイスの１つ以上の機能素子を制御するように機能することができる。回路基板は、１つ以上の位置送信機から、発電機、１つ以上の表示器、又はその両方へ位置情報を伝えるように機能することができる。外科用デバイスは、複数の回路基板を含んでもよい。外科用デバイスは、１つ以上、２つ以上、３つ以上、４つ以上、又は複数の回路基板を有してもよい。回路基板は、表面実装回路、スルーホール回路、又はこれらの両方を有してもよい。例えば、回路基板は、表面実装回路を有してもよい。回路基板は、表面上に実装又は載置される構成要素を有してもよい。例えば、回路基板スイッチを含む回路構成部品のすべてが、回路基板の上面に実装されて、回路基板がデバイスの実装面に平坦に実装され得ることを可能にする。回路基板は、１つ以上の位置送信機と連通してもよい。１つ以上の位置送信機は、回路基板上に位置してもよい。回路基板は、１つ以上の位置送信機のすぐ近くにあってもよい。回路基板は、１つ以上の表示器を保持してもよい。１つ以上の回路基板は、１つ以上の位置送信機の作動に基づいて１つ以上の表示器の視覚出力を制御してもよい。１つ以上の回路基板は、１つ以上の位置送信機の作動に基づいて１つ以上の表示器をオン及び／又はオフにしてもよい。回路基板は、スルーホール構造を有してもよい。スルーホール構造は、ワイヤリード線を有する構成要素を回路基板の孔に嵌合させる。複数の回路基板が存在するとき、回路基板は互いに対して移動可能であってもよい。例えば、異なる機能が起動されるように、１つの回路基板が、別の回路基板の上又は下に移動させられてもよい。１つの回路基板は移動可能であり、１つの回路基板は固定されていてもよい。両方の回路基板は、移動可能であってもよい。１つ以上の回路基板は、外科用デバイスの本体の上又は内部、シャトルの上又は内部、又はこれらの両方に位置してもよい。１つ以上の回路基板は、外科用デバイスの機能素子を起動してもよい。１つ以上の回路基板は、１つ以上の起動ボタンと相互作用する回路基板当たり少なくとも１つのスイッチを有してもよい。回路基板スイッチは、表面実装スイッチであってもよい。回路基板スイッチが押し下げられた起動ボタンによって作動されたとき、回路基板スイッチは、回路基板の回路を閉じ、外科用デバイスの機能素子を有効化する。１つ以上の回路基板は、１つ以上の回路基板上に位置するスイッチごとに１つ以上の表示器を有してもよい。１つ以上の回路基板は、外科用デバイスの位置ごとに１つの位置送信機を有してもよい。１つ以上の回路基板は、１つ以上の位置送信機を作動させ、１つ以上の表示器に外科用デバイスの位置を伝え、外科用デバイスの位置に応じて１つ以上の送信機の視覚的キューを変更してもよい。外科用デバイス上に複数の回路基板が存在してもよい。外科用デバイスは、複数の回路基板を含んでもよい。例えば、外科用デバイスは、第１の回路基板と第２の回路基板とを有してもよい。第１の回路基板は、起動されたときに、第１の機能素子を有効化してもよく、第２の回路基板は、起動されたときに、第２の機能素子を有効化する。外科用デバイスは、２つの回路基板の間を移動し、第１の位置にあるときは第１の回路基板と、第２の位置にあるときは第２の回路基板と位置合わせする１つの起動ボタンを有してもよい。第１の位置において、第２の回路基板は、起動ボタンと位置合わせのずれを生じてもよく、第２の位置において起動ボタンと位置合わせのずれを生じてもよい。好ましくは、回路基板のうちの１つ以上は、複数の位置を有してもよい。例えば、１つ以上の回路基板の各々は、第１の位置と第２の位置との間で移動させられてもよい。１つ以上の回路基板は、デバイスの長手方向軸に沿って長手方向に移動可能であり、デバイスの２次元（例えば、長手方向軸に実質的に垂直）に沿って横方向に移動可能であり、回転軸（長手方向軸に平行な軸）の周りで回転可能に移動可能であり、又はこれらの組み合わせで移動可能であってもよい。好ましくは、１つ以上の回路基板は、長手方向軸の周りで移動することになる。１つ以上の回路基板は、固定されていてもよい。１つ以上の回路基板は、本体、シャトル、起動ボタン、又はこれらの組み合わせに対して固定されていてもよい。回路基板上に複数の回路基板スイッチが存在してもよい。例えば、同一の回路基板（例えば、第１の回路基板スイッチ及び第２の回路基板スイッチ）上に位置する２つの回路基板スイッチが存在してもよい。回路基板上に複数の表示器が存在してもよい。例えば、同一の回路基板（例えば、第１の表示器及び第２の表示器）上に位置する２つの表示器が存在してもよい。例えば、第１の回路基板と第２の回路基板との両方が、第１の表示器を備える第１の回路基板スイッチ及び第２の表示器を備える第２の回路基板スイッチを含んでもよい。例では、第１の回路基板スイッチが押し下げられると、第１の機能が実行され、第２の回路基板スイッチが押し下げられると、第２の機能が実行される。
【００２３】
１つ以上の回路基板は、１つ以上の回路基板スイッチを含む。回路基板スイッチは、回路基板及び１つ以上の起動ボタンと相互作用することによって、外科用デバイスが機能素子を起動できるようにするように機能し得る。回路基板の各々は、１つ以上のスイッチ、及び好ましくは複数のスイッチを含んでもよい。１つ以上のスイッチは、第１のスイッチ、第２のスイッチ、第３のスイッチ、第４のスイッチ、第５のスイッチ、又はそれ以上のスイッチであってもよい。外科用デバイスは、ボタンと同じ数のスイッチを含んでもよい。例えば、外科用デバイスは、２つのボタンと２つのスイッチとを含んでもよい。外科用デバイスは、スイッチと同じ数の表示器を含んでもよい。例えば、外科用デバイスは、２つのスイッチと２つの表示器とを含んでもよい。外科用デバイスは、異なる数のボタンとスイッチとを含んでもよい。例えば、デバイスは、３つのスイッチと１つのボタンとを含んでもよい。別の例では、外科用デバイスは、２つのボタンと３つのスイッチとを含んでもよい。外科用デバイスは、異なる数のスイッチと表示器とを含んでもよい。例えば、外科用デバイスは、１つの表示器と２つのスイッチとを含んでもよい。１つ以上の回路基板スイッチは、平坦、凸面、凹面、ドームスイッチ、膜スイッチ、電気スイッチ、容量センサ、圧力センサ、又はこれらの組み合わせであってもよい。好ましくは、１つ以上の回路基板スイッチは、ドームスイッチであってもよい。１つ以上の回路基板スイッチは、１つ以上の起動ボタンが回路基板スイッチと位置合わせされると、１つ以上の起動ボタンと相互作用し、結果として、１つ以上の起動ボタンが押し下げられると、ボタンが１つ以上の回路基板スイッチと接触及び係合して回路を完成させて、外科用デバイスの機能素子を有効化する。回路基板スイッチは、接触されることなく起動されてもよい。例えば、起動ボタンが押し下げられると、回路基板スイッチをトリガするフィールドが作成され得、結果として、機能が起動される。１つ以上の回路基板スイッチは、１つ以上の表示器であってもよい。１つ以上の回路基板スイッチは、１つ以上の表示器に接続されていてもよい。
【００２４】
外科用デバイスは、１つ以上の表示器を含んでもよい。１つ以上の表示器は、どの位置及び／又は機能を外科用デバイスが提供するかをユーザーに視覚的に通知するように機能することができる。１つ以上の表示器は、１つ以上、２つ以上、３つ以上、４つ以上、又は更には５つ以上の表示器であってもよい。１つ以上の表示器は、有色デバイスであってもよい。１つ以上の表示器は、回路基板、１つ以上の回路基板スイッチ、又はその両方の有色部分であってもよい。１つ以上の表示器は、発光素子（例えば発光ダイオード）であってもよい。１つ以上の表示器は、視覚的キューを常に生成してもよい（例えば、表示器は、光を常に生成してもよく、光は、表示器とボタンとが位置合わせされているときのみ可視である）。１つ以上の表示器は、位置信号が１つ以上の位置送信機から送信されると回路基板によってオン及びオフにされ得る。例えば、第１の位置送信機が作動し、信号を回路基板に送信して第１の表示器に電力を供給すると、第１の表示器は第１の位置で照射されてもよく、第２の表示器は照射されない。第２の位置送信機が作動すると、第２の表示器は第２の位置で照射されてもよく、第１の表示器は照射されない。１つ以上の表示器は、色変換してもよい。１つ以上の表示器は、１つ以上、２つ以上、３つ以上、４つ以上、又は更には複数の色を有してもよい。１つ以上の表示器は、位置信号が１つ以上の位置送信機から送信されると、回路基板によって１つの視覚的キューから別の視覚的キューに変化し得る。例えば、外科用デバイスが第１の位置にあるとき、１つ以上の位置送信機は、外科用デバイスが第１の位置にあることを回路基板に知らせるので、表示器は第１の視覚出力を有し得、外科用デバイスが第２の位置にあるとき、１つ以上の位置送信機は、デバイスが第２の位置にあることを回路基板に知らせるので、表示器は第２の視覚出力（visual out）（例えば第２の色）を有し得る。１つ以上の表示器は、１つ以上の回路基板、１つ以上の回路基板スイッチ、セレクタアセンブリ、シャトル、本体、１つ以上の起動ボタン、又はこれらの組み合わせ上に位置してもよい。１つ以上の表示器は、１つ以上の起動ボタン、１つ以上の回路基板、１つ以上の回路基板スイッチ、１つ以上の表示窓、又はこれらの組み合わせと位置合わせのずれを生じてもよく、位置合わせのずれが生じてもよい。例えば、１つ以上の表示器は、第１の色を有する第１の表示器、及び第２の色を有する第２の表示器であってもよく、また第１のスイッチ及び第２のスイッチを備える回路基板上に位置してもよく、第１の表示器及び第１のスイッチは、第１の位置で透明な起動ボタンと位置合わせしてもよく、第２の表示器及び第２のスイッチは、第２の位置で透明な起動ボタンと位置合わせしてもよい。第１の色は、第１の位置で透明な起動ボタンを通じて可視であり得、第２の色は、第２の位置で透明な起動ボタンを通じて可視であり得る。別の例では、第１の表示器は、１つ以上の起動ボタンに隣接して位置する１つ以上の半透明又は透明な表示窓と位置合わせしてもよく、その結果、表示器は、１つ以上の表示窓を通じてユーザーに視覚的キューを伝達する。各色は、特定の機能を示してもよく、その結果ユーザーは、��つ以上の起動ボタンが作動するとき、どの機能が適用されるかを確認することができる。別の例では、１つ以上の表示器は、回路基板上に位置する色変換ＬＥＤであってもよく、その結果第１の色は、第１の位置で透明な起動ボタンを通じて可視であり、第２の色は、第２の位置で透明な起動ボタンを通じて可視である。この例では、外科用デバイスが第１の位置から第２の位置へ変化するとき、ＬＥＤは、色を変更して、起動ボタンが第１の位置のときと第２の位置のときで異なる機能を伝え得ることを示してもよい。１つ以上の回路基板スイッチ、１つ以上の起動ボタン、及び１つ以上の表示器は、セレクタアセンブリの位置を変更することによって位置合わせした又は位置合わせしていない状態になり得、外科用デバイスの機能状態を変更し得る。
【００２５】
外科用デバイスの機能状態は、変更可能であってもよく、結果として機能素子は、起動されてもよい。外科用デバイスは、１つ以上、２つ以上、３つ以上、４つ以上、５つ以上、又は更に複数の機能状態を有してもよい。機能状態のそれぞれは、１つ以上の異なる機能を提供し得る。例えば、第１の機能状態は、双極治療電流を提供する鉗子であってもよく、第２の機能状態は、単極治療電流を提供するプローブであってもよい。外科用デバイスは、セレクタアセンブリが第１の位置にあるときに第１の機能状態を生成してもよい。第１の位置にあるセレクタアセンブリは、１つ以上の回路基板スイッチ及び１つ以上の表示器を、起動ボタンの少なくとも１つと位置合わせして配置してもよく、結果として第１の色は、起動ボタンを通じて可視である。起動ボタンは、回路基板スイッチに接触するように配置されてもよく、起動ボタンが係合されたとき、回路を完了させて、第１の機能を有効化する。
【００２６】
機能的な第２の状態は、外科用デバイスを二次形態に変更して、第２の機能素子を使用できるようにしてもよい。第２の機能状態は、セレクタアセンブリが第２の位置にあるときに有効化されてもよい。セレクタアセンブリを、１つ以上の回路基板又は１つ以上の起動ボタンのどちらかを移動させ得る第２の位置に前進させ、第２の機能状態を形成してもよい。１つ以上の回路基板又は１つ以上の起動ボタンを移動させるとき、回路基板スイッチに対する起動ボタンの位置合わせのずれ及び／又は位置合わせし直しのため、以前に有効であった機能にアクセスできなくなることがある。第２の機能状態にある外科用デバイスは、起動ボタンのうちの１つ以上を回路基板スイッチのうちの１つ以上と位置合わせのずれが生じてもよく、結果として位置ずれした起動ボタンを効果的に無効化する。セレクタアセンブリを第２の位置へ移動させて第２の機能状態を形成してもよく、結果として１つ以上の起動ボタン及び１つ以上の回路基板スイッチは、位置合わせのずれが生じてもよく、したがって起動ボタンが押し下げられると、ボタンは回路基板スイッチに接触せず、機能素子を無効化する。外科用デバイスの第２の機能状態は、第１の状態において起動された機能素子とは異なる第２の機能素子を起動することができるように、起動ボタンのうちの１つを回路基板スイッチ及び１つ以上の表示器のうちの１つと位置合わせし直してもよい。例えば、第１の起動ボタンは、第１の位置において第１の回路基板スイッチ及び第１の表示器と位置合わせして、作動時に有効化される第１の機能に対応する第１の視覚的キューを提供し、第１の起動ボタンは、第２の位置において第１の回路基板スイッチ及び第１の表示器と位置合わせせず、第２の回路基板スイッチ及び第２の表示器と位置合わせして、作動時に有効化される第２の機能に対応する第２の視覚的キューを提供する。第２の機能状態にあるシャトルは、第２の位置にあってもよく、その結果起動ボタンのうちの少なくとも１つは、別の回路基板スイッチと位置合わせされて第１の機能素子とは異なる第２の機能素子を有効化してもよい。１つ以上の表示器は、第２の機能素子と関連する第２の色を有して、ユーザーに第２の機能素子が選択されていることを視覚的に示してもよい。例えば、第１の機能素子は、１つ以上の表示器によって表示される第１の色と共に第１の治療電流を生成してもよく、第２の機能素子は、１つ以上の表示器によって表示される第２の色と共に第２の治療電流であってもよい。例えば、外科用デバイスは、第１及び第２の回路基板スイッチ並びに対応する第１及び第２の表示器と位置合わせする第１及び第２の起動ボタンを有してもよく、結果として２つの異なる視覚的キューは、第１の位置で起動ボタンのそれぞれから表示され、作動時に第１の位置で有効化された２つの異なる機能（例えば第１の電気素子及び第２の電気素子）をユーザーに通知する。外科用デバイスは、第１の位置から第２の位置へ変化してもよく、第１のボタンを、第２の回路基板スイッチ及び第２の表示器と、また第２のボタンを、第３の機能（例えば、第３の電気素子）を備えた第３の回路基板スイッチ及び第３の表示器と位置合わせし、結果として第１のボタンを通じて第２の視覚的キューが表示され、第２のボタンを通じて第３の視覚的キューが表示され、起動ボタンのそれぞれの作動時にユーザーに第１のボタンが現在第２の機能素子を有効にし、第２のボタンが現在第３の機能素子を有効にすることを通知する。
【００２７】
１つ以上の機能素子は、電気素子とすることができる。１つ以上の機能素子は、電気を使用して、外科処置のうちの１つ以上の部分を行ってもよい。１つ以上の電気素子は、電気を使用して動作する機能素子であってもよい。１つ以上の電気素子は、電極、電気モータ、超音波トランスデューサ、又はこれらの組み合わせであってもよい。１つ以上の電気素子は、電極、第１の治療電流、第２の治療電流、第３の治療電流、モータ、超音波トランスデューサ、又はこれらの組み合わせであってもよい。第１の電気素子は、第１の位置で動作されてもよく、第２の電気素子は、第２の位置で動作されてもよい。外科用デバイスは、１つ以上、２つ以上、３つ以上、４つ以上、又は更に複数の電気素子を有してもよい。電気素子のそれぞれは、対応する色を有してもよく、結果として１つ以上の表示器は、ユーザーにどの電気素子が選択されているかを示すことができる。
【００２８】
１つ以上の電気素子は、１つ以上の電極を含んでもよい。電極は、起動時に外科用デバイスを介して電気を伝導してもよい。電極は、治療電流を伝導してもよい。治療電流は、単極電流、双極電流、又はこれらの組み合わせであってもよい。治療電流は、手術中に切断、焼灼、凝固、又はこれらの組み合わせに使用されてもよい。電極は、モータを作動させるために使用される治療電流を伝導してもよい。各治療電流は、特に関連する色を有してもよい。例えば、第１の治療電流は、単極電流であってもよく、関連する色は青であり、第２の治療電流は、双極電流であってもよく、関連する色は黄色であり、結果として１つ以上の表示器は、単極電流が有効であるとき、青色を表示し、双極電流が有効であるとき、黄色を表示する。
【００２９】
外科用デバイスの機能素子は、超音波構成要素であってもよい。超音波機能素子は、目標領域の特定、切断、凝固、又はこれらの組み合わせに使用されてもよい。例えば、超音波素子は、電気エネルギーを組織に印加される機械的振動に変換することによって、切断しかつ凝固させてもよい。超音波機能は、単極機能、双極機能、又はこれらの両方と組み合わされ得る。例えば、第１の状態にあるデバイスは、目標領域を切断するために超音波エネルギーを生成するように作動され、第２の状態にあるデバイスは、目標領域を凝固させるために双極療法電流を作動させてもよい。更なる例において、第１の状態にあるデバイスは、超音波エネルギーを目標領域に送信し、第２の状態にあるデバイスは、超音波エネルギーと双極エネルギーとの両方を送信して目標領域を同時に切断しかつ凝固させる。超音波素子は、１つ以上の表示器によって表示される独自の指定色を有してもよい。
【００３０】
外科用デバイスは、組み合わせデバイスとすることができる。組み合わせデバイスは、２つ以上の構造要素を単一のデバイスに組み込んで、ハンドセットを切り替えることなく、多数の機能を行うことが可能である工具を作製する。
【００３１】
図１は、第１の位置２２にあるシャトル２０（長手方向軸１８に沿った）と、ブレード電極８が一対の作業アーム６の間に引き込まれるように第１の機能状態１０にあるブレード電極８と、を有する電気外科用デバイス２の斜視図を示す。シャトル２０が第１の位置２２にあるとき、第１の起動ボタン２６は露出される。第１の起動ボタン２６は、透明又は半透明であり、第１の色２０６を伝える。
【００３２】
図２は、電気外科用デバイス２として示される外科用デバイス１の一例の斜視図を例示する。電気外科用デバイス２は、遠位端１４と近位端１６とを有する本体５を有する鉗子４として示される。遠位端１４は、その間にブレード電極８を有する一対の作業アーム６を含む。シャトル２０が第２の位置２４へと前方に（すなわち、長手方向軸１８に沿って）移動するとき、ブレード電極８は、第２の機能状態１２に前進させられる。第２の位置２４において、第１の起動ボタン２６と第２の起動ボタン２８との両方が示される。第１の起動ボタン２６は、第２の表示器（図示せず）により生成された第２の色２０８を表示する。第２の起動ボタン２８は、第１の表示器（図示せず）により生成された第１の色２０６を表示する。第１の表示器及び第２の表示器は、回路基板上に位置しており、その結果シャトル２０が第１の位置２２から第２の位置２４へ移動するとき、回路基板はまた第１の表示器及び第２の表示器を移動させ、第１の機能と第２の機能の両方を提供するようにデバイスを再構成する。第１の位置２２と第２の位置２４との間を移動しながら、第１の表示器は、第２の起動ボタン２８と位置合わせされ、第１の色２０６を表示し、第２の表示器は、第１の起動ボタン２６と位置合わせされ、第２の色２０８を表示する。各機能素子は、対応する色を有する。
【００３３】
図３は、シャトル２０が第１の位置２２にある、電気外科用デバイス２の斜視図を示す。第１の位置２２において、第１の起動ボタン２６及び第２の起動ボタン２８は露出され、ブレード電極８は、第１の機能状態１０が形成されるように作業アーム６の間に引き込まれる。第１の起動ボタン２６は、第１の表示器（図示せず）から第１の色２０６を伝達する。第２の起動ボタン２８は、第２の表示器（図示せず）から第２の色２０８を伝達する。
【００３４】
図４は、シャトル２０が第２の位置２４にある電気外科用デバイス２の斜視図を示す。示されるように、ブレード電極８に電力を供給するために、第１の起動ボタン２６と第２の起動ボタン２８との両方が露出されている。第１の起動ボタン及び第２の起動ボタンは、第１の位置２２（図３）から第２の位置２４へ移動する。回路基板（図示せず）は、固定されている。回路基板は、第１の表示器、第２の表示器、及び第３の表示器を保持し、その結果外科用デバイスが位置から位置へ移動するとき、起動ボタン２６、２８は、対応する表示器と位置合わせして特定の起動ボタン２６、２８の作動時にどの機能が有効化されるかをユーザーに視覚的に通知する。第１の起動ボタン２６は、第３の色２１０を表示し、第２の起動ボタン２８は、第１の色２０６を表示する。ブレード電極８は、ブレード電極８が対向する一対の作業アーム６を越えて延在するように、第２の機能状態１２に前進する。
【００３５】
図５は、接続領域５０において回路基板４０に接続されたシャトル２０を含むセレクタアセンブリ３８を示す。印刷回路基板４０は、複数のスイッチ（例えば、第１の回路基板スイッチ４２及び第２の回路基板スイッチ４４）を含む。第１の表示器２００は、第１の回路基板スイッチ４２上に位置し、第２の表示器２０２は、第２の回路基板スイッチ４４上に位置する。第３の表示器２０４は、第３の回路基板スイッチ４６上に位置する。図示されるように、第１の起動ボタン２６は、第１の回路基板スイッチ４２及び第１の表示器２００と位置合わせされ、第２の起動ボタン２８は、第２の回路基板スイッチ４４及び第２の表示器２０２と位置合わせされる。第１の表示器２００は、第１の色２０６を表示し、第２の表示器は、第２の色２０８を表示し、起動ボタン２６、２８の作動時に実行される機能に対応する。第１の起動ボタン２６及び／又は第２の起動ボタン２８が方向５２に作動すると、接触が、第１の回路基板スイッチ４２及び第２の回路基板スイッチ４４でそれぞれ生成される。第３の回路基板スイッチ４６及び第３の表示器は、起動ボタンと位置合わせされず、その結果第３の色２１０は、起動ボタン２６、２８を通じて表示されない。
【００３６】
図６は、第３の回路基板スイッチ４６及び第３の表示器２０４が第１の起動ボタン２６と位置合わせされるように方向４８に移動する、シャトル２０と回路基板４０とを含むセレクタアセンブリ３８を示す。第３の表示器２０４は、第１の起動ボタン２６を通じて第３の色２１０を表示する。シャトル２０及び回路基板４０は、接続領域５０において相互に接続され、かつ共に移動する。シャトル２０が第１の位置２２から第２の位置２４に移動すると、第２の起動ボタン２８は覆われ、かつ位置合わせされず、したがって、起動ボタン２８は作動するとき、いかなる回路基板スイッチにも接触しない。第１の表示器２００を備える第１の回路基板スイッチ４２及び第２の表示器２０２を備える第２の回路基板スイッチ４４は、起動ボタン２６、２８と位置合わせされず、その結果第１の色２０６及び第２の色２０８は、起動ボタンを通じて見えない。ブレード電極（図示せず）は引き込まれる。
【００３７】
図７は、シャトル２０と起動ボタン２６、２８とを含むセレクタアセンブリ３８を示す。回路基板４０は、第１の回路基板スイッチ４２及び第２の電気外科用スイッチ４４を含む。第１の回路基板スイッチ４２は、第１の色２０６を表示する第１の表示器２００を含む。第２の回路基板スイッチ４４は、第２の色２０８を表示する第２の表示器２０２を含む。示されるように、第１の起動ボタン２６は、第１の回路基板スイッチ４２と位置合わせされ、第２の起動ボタン２８は、第２の回路基板スイッチ４４と位置合わせされ、結果として、第１の起動ボタン２６又は第２の起動ボタン２８が方向５２に作動すると、接触が、第１の回路基板スイッチ４２及び第２の回路基板スイッチ４４でそれぞれ生成される。第１の表示器２００は、第１の起動ボタン２６を通じて第１の色２０６をユーザーに伝達する。第２の表示器２０２は、第２の起動ボタン２８を通じて第２の色２０８をユーザーに伝達する。
【００３８】
図８は、第２の起動ボタン２８が方向５２に移動すると、第２の起動ボタンが第１の回路基板スイッチ４２に接触し、第１の色２０６が第２の起動ボタン２８を通じて表示されるように、第２の起動ボタン２８が第１の回路基板スイッチ４２及び第１の表示器２００と位置合わせされるように、方向６４に移動される、シャトル２０と、起動ボタン２６、２８とを含むセレクタアセンブリ３８を示す。第１の起動ボタン２６は、回路基板スイッチ４２、４４と相互作用しないように配置される。第２の回路４４基板スイッチは、起動ボタン２６及び２８のどちらによっても作動できないように配置される。シャトル２０は、起動ボタン２６、２８を含み、方向６４に共に移動してデバイスを位置２  ２４に配置する。
【００３９】
図９Ａは、回路基板４０上に位置する複数の回路基板スイッチ４２、４４、４６と位置合わせされた複数の起動ボタン２６、２８、３０を備えるキーボード６２としてセレクタアセンブリ３８を示す。起動ボタン２６、２８、３０のうちの１つ以上が方向５２に押し下げられると、回路基板スイッチ４２、４４、４６のうちの１つ以上がそれぞれ作動する。各回路基板４２、４４、４６は、対応する表示器２００、２０２、２０６を有する。各表示器は、ボタン２６、２８、３０のうちの１つと位置合わせされるとき、ユーザーに伝達される特定の視覚的キュー２０６、２０８、２１０を表示する。示されるように、表示器２００は、第１の色２０６を表示するボタン２６と位置合わせされ、表示器２０２は、第２の色２０８を表示するボタン２８と位置合わせされ、表示器２０４は、第３の色２１０を表示するボタン３０と位置合わせされる。ボタン２６、２８、３０は、作動デバイス７０に接続され、したがって、ボタン２６、２８、３０が方向５２に押し下げられると、作動デバイス７０は、それぞれの回路基板スイッチ４２、４４、４６を押し下げる。
【００４０】
図９Ｂは、キーボード６２として示されるセレクタアセンブリ３８を示す。キーボード６２の回路基板４０は、第１の位置２２から第２の位置２４まで方向４８に移動するように示される。第２の位置２４において、回路基板スイッチ４２、４４、４６の位置あわせは、第１の位置２２に対して変更される。示されるように、起動ボタン２６は、回路基板スイッチ４４及び表示器２０２と位置合わせされ、起動ボタン２８は、回路基板スイッチ４６及び表示器２０６と位置合わせされる。第２の色２０８は、ここでボタン２６を通じて伝達され、第３の色２１０は、ここでボタン２８を通じて伝達される。起動ボタン３０は、回路基板スイッチと位置合わせせず、有色の視覚的キューを伝達しない。起動ボタン２６及び２８が方向５２に押し下げられると、作動デバイス７０は、回路基板スイッチ４４及び４６に接触する。同様に、回路基板スイッチ４２は、起動ボタンと位置合わせせず、スイッチが作動するのを防ぐ。
【００４１】
図１０Ａは、第１の位置２２におけるセレクタアセンブリ３８を示す。セレクタアセンブリ３８は、板バネ機構９６を介して回路基板４０に接続される。位置１において、起動ボタン２６、２８は、シャトル２０上に保持され、かつ回路基板スイッチ４２、４４及び表示器２００、２０２と位置合わせされる。表示器２００は、起動ボタン２６を通じて第１の色２０６を表示し、表示器２０２は、起動ボタン２８を通じて第２の色２０８を表示する。起動ボタン２６、２８が５２方向に押し下げられると、起動ボタン２６、２８は、回路基板スイッチ４２、４４にそれぞれ接触することになる。起動ボタンは、回路基板スイッチ４６及び表示器２０６と位置合わせされない。セレクタアセンブリは、板バネ機構９６と連通する位置変更ボタン７４を含む。板バネ機構９６は、トラック１１０を有するアクチュエータブロック９８と、プランジャ１０８と、板バネ１０４とを含む。アクチュエータブロック９８は、領域１０６において回路基板に取り付ける。アクチュエータブロック９８のトラック１１０は、上部位置１００と側部位置１０２とを有する。プランジャ１０８は、位置変更ボタン７４に接続され、かつアクチュエータブロック１００、１０２の位置に嵌め込まれ、これにより、位置変更ボタン７４が方向５２に作用すると、プランジャ１０８は、上部位置１００から側部位置１０２に移動する。プランジャ１０８が移動すると、板バネ１０４は、１０６において回路基板４０に接続されたアクチュエータブロック９８を押して、デバイスを位置２に変換することができる。アクチュエータブロックを第１の位置から第２の位置に移動させると、回路基板４０は起動ボタン２６、２８に対して移動する。デバイスを位置１に戻すには、位置変更ボタンを作動させ、プランジャをアクチュエータブロックのトラックの周りで時計回りに移動させ、これによりプランジャが位置１に戻るようにすることができる。
【００４２】
図１０Ｂは、第２の位置２４におけるセレクタアセンブリ３８を示す。セレクタアセンブリ３８は、板バネ機構９６を介して回路基板４０に接続される。板バネ機構９６は、回路基板４０を方向４８に移動させ、シャトル２０は、起動ボタン２６を保持して回路基板スイッチ４６と位置合わせし、表示器２０６は、起動ボタン２６を通じて第３の色２１０を表示する。第２の起動ボタン２８は、回路基板スイッチ４２、４４、４６のすべてと位置合わせされず、視覚的キューをユーザーに表示しない。第１の回路基板スイッチ４２及び第２の回路基板スイッチ４４は、いずれの起動ボタンとも位置合わせされない。起動ボタン２６が方向５２に押し下げられると、起動ボタン２６は回路基板スイッチ４６に接触する。板バネアセンブリ９６は、位置変更ボタン７４を方向５２に作動させることによって、デバイスを第１の位置２２から第２の位置２４に変換する。位置変更ボタンは、プランジャ１０８を押し下げ、板バネ機構９６に板バネ１０４において張力を解放させ、これにより、アクチュエータブロック９８を押すことによって回路基板４０を横方向に伸長及び移動させ、アクチュエータブロック９８は回路基板４０に１０６において接続され、デバイスを第２の位置２４に配置する。位置変更ボタン７４が押し下げられると、プランジャ１０８は、アクチュエータブロック９８のトラック１１０に沿って上部位置１００から側部位置１０２に移動する。回路基板４０は、起動ボタン２６、２８に対して移動する。起動ボタン２６、２８は、回路基板４０に対して固定されている。
【００４３】
図１１は、短いスローレバーアセンブリ８６を介して回路基板４０に接続されたセレクタアセンブリ３８を示し、シャトル２０は、回路基板スイッチ４２、４４と位置合わせされた起動ボタン２６、２８を保持し、結果として、起動ボタン２６、２８が方向５２に押し下げられると、起動ボタン２６、２８は、回路基板スイッチ４２、４４にそれぞれ接触することになる。回路基板スイッチ４２、４４は、各回路基板スイッチを作動させたときにもたらされる機能に対応するキュー２０６及び２０８を表示する表示器２００及び２０２を有する。視覚的キュー２０６、２０８は、起動ボタン２６、２８を通じてユーザーに伝達される。この位置では、第３の回路基板スイッチ４６及び第３の表示器２０４は、起動ボタン２６、２８のいずれとも位置合わせされない。短いスローレバーアセンブリ８６は、レバー９２と、レバーが周りで回転する固定枢動点８８と、それぞれ回路基板及びシャトルにおける移動枢動点９０と、を含む。短いスローレバーアセンブリ８６は、方向９４に移動すると、シャトル２０を横方向に移動させて、起動ボタン２６及び２８を方向６４に、かつ回路基板４０を方向４８に保持することによって、デバイスを位置間で変換する。シャトル２０及び回路基板４０は、レバー９２によって移動要動転９０において接続され、これにより短いスローレバーアセンブリ８６に作用すると、レバー９２は固定点８８の周りで枢動し、シャトル２０を移動させ、これにより起動ボタン２６、２８、及び回路基板４０を、位置合わせされるか又は位置合わせされないように保持する。
【００４４】
図１２は、セレクタアセンブリ３８が、ラックアンドピニオンアセンブリ８０を介して回路基板４０及びシャトル２０に接続されていることを示す。ラックアンドピニオンアセンブリ８０は、起動ボタン２６及び２８を保持するシャトル２０が回路基板４０に対して移動することを可能にすることによって、デバイスを第１の位置と第２の位置との間で変換するのを助ける。ラックアンドピニオンアセンブリ８０は、各々が回路基板４０及びシャトル２０に取り付けられたピニオンギヤ８２と一対のラックギヤ８４とを含む。ピニオンギヤ８２が回転すると、ラックギヤ８４はシャトル２０を６４方向に、かつ回路基板４０を方向４８に横方向に移動させ、デバイスを第２の位置に配置し、起動ボタン２６、２８を回路基板スイッチ４２、４４、４６及び表示器２００、２０２、２０４に位置合わせするか又は位置合わせしない。示される位置において、起動ボタン２６及び２８は、回路基板スイッチ４２及び４４並びに表示器２００及び２０２と位置合わせされる。表示器２００及び２０２は、視覚的キュー２０６及び２０８を表示し、起動ボタン２６、２８を通じてこれらの視覚的キューを伝達し、結果としてユーザーは、どの機能をボタン２６、２８が有効にするかを知る。起動ボタンが方向５２に押し下げられると、起動ボタン２６は、回路基板スイッチ４２に接触し第１の電気的機能をもたらし、起動ボタン２８は、回路基板スイッチ４４と接触し第２の電気的機能をもたらす。回路基板スイッチ４６及び表示器２０４は、いかなる起動ボタンとも位置合わせされない。ラックアンドピニオンは、回転運動を長手方向運動又は横方向運動に変換する。
【００４５】
図１３Ａは、第１の位置２２におけるセレクタアセンブリ３８を示す。セレクタアセンブリは、起動ボタン２６を保持するシャトル２０を含み、回路基板４０と接続される。回路基板４０は、回路基板スイッチ４２、４４、変換表示器２００、及び２つの位置送信機２１２、２１４を含む。第１の位置２２では、起動ボタン２６は、回路基板スイッチ４２と位置合わせされ、第１の機能を実行するためのデバイスを構成する。表示器は、起動ボタン２６を通じてユーザーに第１の色２０６を伝達し、第１の電気的機能が選択されていることを示す。第１の位置２２でシャトル２０が第１の位置送信機２１２を作動させると、第１の色２０６が生成され、第１の色２０６に電力を供給するように回路基板４０に信号を送信する。第２の位置送信機は、作動しない。
【００４６】
図１３Ｂは、第２の位置２４における図１３Ａのセレクタアセンブリ３８を示す。第２の位置２４において、起動ボタン２６は、回路基板スイッチ４２と位置合わせしないで、かつ回路基板スイッチ４４と位置合わせするように移動し、第２の電気的機能を提供するようにデバイスを構成する。第１の位置２２から第２の位置２４への変更時、第２の位置送信機２１４を作動させ、信号を回路基板４０に送信して表示器を第１の色２０６から第２の色２０８に変更し、ユーザーにデバイスが現在第２の機能を実行するように構成されていることを示す。第２の位置２４で、第１の位置送信機は、作動しない。
【００４７】
図１４Ａは、移動可能な回路基板４０を含むセレクタアセンブリ３８の一部を示す。回路基板４は、本体３に対して移動可能である。回路基板は、第１の表示器２００でもある第１の回路基板スイッチ４２、及び第２の表示器２０２でもある第２の回路基板スイッチ４４を保持する。回路基板はまた、回路基板にセレクタアセンブリ３８が第１の位置にあることを伝える位置送信機２１２も含み、回路基板は、第１の表示器２００に電力を送って第１の視覚的キュー２０６を表示する。第２の表示器２０２は、第１の位置２２で電力を受け取らない。
【００４８】
図１４Ｂは、第２の位置２４におけるセレクタアセンブリ３８の一部を示す。回路基板４０は、第１の位置２２から第２の位置２４へと方向６４に移動する（図示せず）。位置送信機２１２は、回路基板にセレクタアセンブリ３８が第２の位置にあることを伝え、その結果回路基板は、第２の表示器２０２に電力を送って第２の視覚的キュー２０８を表示する。第１の表示器２００は、第２の位置２４で電力を受け取らない。
【００４９】
本明細書に列挙するあらゆる数値は、少なくとも２つの単位の分離が任意のより低い値と任意のより高い値との間にあることを条件として、１つの単位の増分で低い値から高い値までのすべての値を含む。一例として、構成要素の量、又は例えば温度、圧力、時間などのプロセス変数の値が、例えば１〜９０、好ましくは２０〜８０、より好ましくは３０〜７０であると明記されている場合、１５〜８５、２２〜６８、４３〜５１、３０〜３２などの値が本明細書中に明示的に列挙されていることが意図されている。１未満の値については、１つの単位は、適宜、０．０００１、０．００１、０．０１、又は０．１とみなされる。これらは具体的に意図されるものの単なる例に過ぎず、列挙されている最低値と最高値との間の数値のすべての可能な組み合わせが、同様に本明細書において明示的に記載されているものとみなされるべきである。
【００５０】
特に明記されていない限り、すべての範囲は、両方の終点、及びそれらの終点間のすべての数を含む。範囲に関連した「約」又は「およそ」の使用は、範囲の両端に適用される。したがって、「約２０〜３０」は、少なくとも指定の終点を含めて、「約２０〜約３０」を包含することが意図されている。
【００５１】
特許出願及び特許出願公開を含むすべての論文及び参考文献の開示は、あらゆる目的で参照により組み込まれている。組み合わせを説明する「〜から本質的になる」という用語は、特定された要素、成分、構成要素、又は工程と、組み合わせの基本的及び新規な特性に実質的に影響を与えないような他の要素、成分、構成要素、又は工程とを含むものとする。本明細書における要素、成分、構成要素、又は工程の組み合わせを説明する「〜を備える」又は「〜を含む」という用語の使用は、要素、成分、構成要素、又は工程から本質的になる実施形態も企図している。本明細書において「してもよい」という用語を使用することによって、含まれ「てもよい」あらゆる記載される属性は任意選択であるものとする。
【００５２】
複数の要素、成分、構成要素又は工程は、単一の統合された要素、成分、構成要素又は工程によって実現され得る。代替的に、単一の統合された要素、成分、構成要素、又は工程は、別個の複数の要素、成分、構成要素、又は工程に分割されることがある。要素、成分、構成要素、又は工程を説明する「１つの（a）」又は、「１つの（one）」という開示は、追加の要素、成分、構成要素、又は工程を除外することを意図しない。
【００５３】
上述の説明は例示であり、限定するものではないことが理解される。提供した実施例以外の多くの実施形態並びに多くの適用例が、上述の説明を読むことによって当業者には明白となるであろう。したがって、本教示の範囲は、上述の説明を参照して決定されるべきではなく、その代わりに、添付の特許請求の範囲を、このような特許請求の範囲が権利を与えられる等価物の全範囲と共に参照して決定されるべきである。特許出願及び特許出願公開を含むすべての論文及び参考文献の開示は、あらゆる目的で参照により組み込まれている。以下の特許請求の範囲における、本明細書に開示されている主題のいかなる態様の省略も、このような主題を放棄するものではなく、本発明者らがこのような主題を、開示されている発明の主題の一部であるとみなさなかったものと考えられるべきものでもない。
【図１】
2019155077.tif 000003
【図２】
2019155077.tif 000004
【図３】
2019155077.tif 000005
【図４】
2019155077.tif 000006
【図５】
2019155077.tif 000007
【図６】
2019155077.tif 000008
【図７】
2019155077.tif 000009
【図８】
2019155077.tif 000010
【図９Ａ】
2019155077.tif 000011
【図９Ｂ】
2019155077.tif 000012
【図１０Ａ】
2019155077.tif 000013
【図１０Ｂ】
2019155077.tif 000014
【図１１】
2019155077.tif 000015
【図１２】
2019155077.tif 000016
【図１３Ａ】
2019155077.tif 000017
【図１３Ｂ】
2019155077.tif 000018
【図１４Ａ】
2019155077.tif 000019
【図１４Ｂ】
2019155077.tif 000020
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
電気外科用デバイスであって、
ａ．２つ以上の機能状態と、
ｂ．少なくとも第１の位置と第２の位置との間を移動するセレクタアセンブリであって、
ｉ．１つ以上のシャトルと、
ｉｉ．１つ以上の透明なボタンと、
ｉｉｉ．１つ以上のスイッチを備える１つ以上の回路基板と、
ｉｖ．１つ以上の表示器と、を含む、セレクタアセンブリと、を備え、
前記第１の位置にある前記セレクタアセンブリは、前記２つ以上の機能状態のうち第１の機能状態を提供するように構成され、前記第２の位置において、前記２つ以上の機能状態のうち第２の機能状態を提供するように構成され、
前記１つ以上の表示器は、前記第１の機能状態に対応する第１の色を伝え、前記第２の機能状態に対応する第２の色を伝える、電気外科用デバイス。
【請求項２】
前記１つ以上の表示器が、前記１つ以上の回路基板上に位置する、請求項１に記載の電気外科用デバイス。
【請求項３】
前記１つ以上の回路基板が、前記電気外科用デバイスの本体上に位置し、前記１つ以上の透明なボタンが、前記１つ以上のシャトル上に保持され、
前記１つ以上のシャトルが、前記第１の位置と前記第２の位置との間で前記１つ以上の透明なボタンを前記１つ以上の回路基板に対して移動させ、結果として前記電気外科用デバイスが前記第１の機能状態と前記第２の機能状態との間で変更可能である、請求項１に記載の電気外科用デバイス。
【請求項４】
前記１つ以上の透明なボタンが、前記電気外科用デバイスの本体上に位置し、前記１つ以上の回路基板が、前記１つ以上のシャトルと連通しており、
前記１つ以上のシャトルが、前記第１の位置と前記第２の位置との間で前記１つ以上の回路基板を前記１つ以上の透明なボタンに対して移動させ、結果として前記電気外科用デバイスが前記第１の機能状態と前記第２の機能状態との間で変更可能である、請求項１に記載の電気外科用デバイス。
【請求項５】
前記セレクタアセンブリが、ラックアンドピニオンアセンブリを含み、前記ラックアンドピニオンアセンブリが、前記１つ以上のシャトル上の第１のラックギヤと前記１つ以上の回路基板上の第２のラックギヤとの間にピニオンギヤを含み、
前記１つ以上のシャトルが、前記ピニオンギヤを回転させることによって前記第１の位置と前記第２の位置との間を移動し、前記１つ以上のシャトルの反対方向に前記１つ以上の回路基板を移動させる、請求項１に記載の電気外科用デバイス。
【請求項６】
前記１つ以上のシャトルが、前記第１の位置と前記第２の位置との間で前記電気外科用デバイスの本体に沿って移動し、前記第１の機能状態と前記第２の機能状態との間で前記電気外科用デバイスを変換する、請求項１に記載の電気外科用デバイス。
【請求項７】
前記１つ以上の表示器が、有色回路基板スイッチである、請求項２に記載の電気外科用デバイス。
【請求項８】
前記１つ以上の表示器が、発光素子である、請求項２に記載の電気外科用デバイス。
【請求項９】
前記１つ以上の表示器が、それぞれ色変換発光素子である、請求項１に記載の電気外科用デバイス。
【請求項１０】
前記色変換発光素子が、第１の色を有し、かつ前記第１の機能状態で前記１つ以上の透明なボタンと位置合わせされ、また前記色変換発光素子が、第２の色を有し、かつ前記第２の機能状態で前記１つ以上の透明なボタンと位置合わせされる、請求項９に記載の電気外科用デバイス。